(57)【要約】【課題】  隣り合う遊技者の足元を確実に仕切るとともに、メンテナンスや清掃などの作業の妨げとなることのない仕切り装置等を提供する。【解決手段】  仕切り装置９は、仕切り板１５と可動部材１７等からなる。仕切り板１５は、膳板１４の前方（遊技者側）であって、上部仕切り１１の下方に床１９上に立設される。なお、仕切り板１５の下部には、高さ調整機構１０が設けられる。高さ調整機構１０によって、遊技機島１の膳板１４の高さに合わせて、仕切り板１５の高さを調整することができる。仕切り板１５には、仕切り板１５から遊技機島１側（腰板１３側）に向かって、移動可能な略矩形の板状の可動部材１７が設けられる。すなわち、可動部材１７を仕切り板１５に完全に収容した際には、仕切り板１５と腰板１３との間には大きな隙間が形成される。このため、ホールの清掃時や腰板１３内部のメンテナンス作業が容易である。【選択図】図３
2018029693.tif 000002
【特許請求の範囲】
【請求項１】
複数の遊技機が配置された遊技機島において、隣接する遊技機の遊技者の各遊技空間を仕切る仕切り装置であって、
前記遊技機が載置される遊技機載置部より少なくとも下方に立設される仕切り板と、
前記遊技機載置部の下方において、前記仕切り板から前記遊技機島に向けて移動可能な可動部材と、
を具備することを特徴とする仕切り装置。
【請求項２】
前記可動部材は、前記仕切り板に備えられ、前記可動部材は前記仕切り板に設けられるガイド部によって、スライド動作可能であることを特徴とする請求項１記載の仕切り装置。
【請求項３】
前記仕切り板から前記可動部材が所定量突出した状態を保持可能な位置決め機構を具備することを特徴とする請求項１または請求項２に記載の仕切り装置。
【請求項４】
前記可動部材は、複数の板状または棒状の部材で構成され、複数の前記板状または棒状の部材は、独立して移動可能であることを特徴とする請求項１から請求項３のいずれかに記載の仕切り装置。
【請求項５】
請求項１から請求項４のいずれかに記載の仕切り装置を具備することを特徴とする遊技機島。
【発明の詳細な説明】
【技術分野】
【０００１】
本発明は、例えば隣接するパチンコなどの遊技機の足元を仕切るための仕切り装置等に関するものである。
【背景技術】
【０００２】
通常、遊技場では、例えば、パチンコなどの遊技機が複数併設された遊技機島が形成されており、それぞれの遊技機の前に遊技者が座って遊技を行う。この際、隣り合う遊技者同士の煙草の煙や音などを遮蔽するために、遊技機同士を仕切る仕切り板が用いられる場合がある。また、遊技者同士の足元が接触しないように、膳板よりも下方の空間を仕切る仕切り板が提案されている。
【０００３】
例えば、遊技機が並べられた遊技機島において、隣接する遊技機の遊技者との間に間仕切りを設け、隣接する遊技者の空間が独立するように設けられた間仕切りが提案されている（特許文献１）。
【０００４】
また、遊技機を遊技する遊技者の肘置きが、隣接する遊技者との空間を区分けするように、遊技機島の膳板より下方領域を仕切る肘置き仕切り板が提案されている（特許文献２）。
【先行技術文献】
【特許文献】
【０００５】
【特許文献１】登録実用新案公報第３１３６４３２号
【特許文献２】登録実用新案公報第３０３３５０５号
【発明の概要】
【発明が解決しようとする課題】
【０００６】
しかしながら、特許文献１に開示された構成では、遊技機島の膳板の先端に固定された支柱より、遊技機とは反対側に突出するように仕切板が設けられているだけであり、この支柱と遊技機の膳板より下側（以下、遊技機島下部とする）の腰板までの空間は仕切られていなかった。このため、膳板の下側に入り込む遊技者の腿や膝より先側の足先は仕切板によって仕切られておらず、隣の遊技者の足先とぶつかってしまう状態であった。
【０００７】
一方で、特許文献２の膳板下部空間が仕切られる肘置き支持部材であれば、足元の空間を仕切ることはできるが、遊技機島の形状等に応じて、専用のサイズの部材が必要となる。例えば、遊技機島のサイズ・寸法が全て規格等で統一されておらず、その遊技機島設置メーカーや遊技機島を設置するホールによってデザインが異なったりするため、一様な形状・寸法となっていない。このため、当然のように、遊技機島下部の形状に合わせた仕切板の作成が必要となる課題を有している。
【０００８】
また、膳板下部を完全に仕切ると、ホールの清掃や、腰板内部の搬送装置などのメンテナンスが困難となる。例えば、腰板内部には、遊技球の搬送装置などが配置されるため、腰板を開ける必要がある場合があるが、膳板下部の仕切り板があると、仕切り板を外さなければ、腰板を開けることができない。このため、作業性が悪い。
【０００９】
本発明は、このような問題に鑑みてなされたもので、隣り合う遊技者の足元を確実に仕切るとともに、メンテナンスや清掃などの作業の妨げとなることのない仕切り装置等を提供することを目的とする。
【課題を解決するための手段】
【００１０】
前述した目的を達するために第１の発明は、複数の遊技機が配置された遊技機島において、隣接する遊技機の遊技者の各遊技空間を仕切る仕切り装置であって、前記遊技機が載置される遊技機載置部より少なくとも下方に立設される仕切板と、前記遊技機載置部の下方において、前記仕切板から前記遊技機島に向けて移動可能な可動部材と、を具備することを特徴とする仕切り装置である。
【００１１】
前記可動部材は、前記仕切板に備えられ、前記可動部材は前記仕切板に設けられるガイド部によって、スライド動作可能であってもよい。
【００１２】
前記仕切板から前記可動部材が所定量突出した状態を保持可能な位置決め機構を具備してもよい。
【００１３】
前記可動部材は、複数の板状または棒状の部材で構成され、複数の前記板状または棒状の部材は、独立して移動可能であってもよい。
【００１４】
第１の発明によれば、遊技機が載置される遊技機載置部よりも下方に仕切板が設けられ、遊技機載置部の下方において、仕切板から遊技機島に向けて移動可能な可動部材を設けることで、可動部材を仕切り板から突出させることができる。このため、可動部材によって、遊技者の足元を確実に仕切ることができる。
【００１５】
または、可動部材は、仕切り板側に移動させることができるため、清掃時やメンテナンス時には、可動部材を仕切り板側に退避させることで、作業の妨げとなることがなく、作業性が悪化することがない。
【００１６】
また、可動部材を、仕切板に設けられるガイド部によってスライド動作可能とすることで、可動部材を確実に一方向にスライド動作させることができる。
【００１７】
また、位置決め機構によって、可動部材を、仕切板から所定量突出した状態を保持することで、可動部材によって足元が仕切られた状態を確実に維持することができる。
【００１８】
また、可動部材が複数の板状または棒状の部材で構成され、それぞれの板状または棒状の部材が独立して移動可能であれば、遊技機島の下部形状に応じて、任意の仕切り部形状にも対応が可能である。
【００１９】
第２の発明は、第１の発明にかかる仕切り装置を具備することを特徴とする遊技機島である。
【００２０】
第２の発明によれば、遊技者同士の足元を確実に仕切り、清掃やメンテナンス作業の妨げとなることがない遊技機島を提供することができる。
【発明の効果】
【００２１】
本発明によれば、隣り合う遊技者の足元を確実に仕切るとともに、メンテナンスや清掃などの作業の妨げとなることのない仕切り装置等を提供することができる。
【図面の簡単な説明】
【００２２】
【図１】遊技機島１を示す概略図。
【図２】仕切り装置９の配置を示す斜視図。
【図３】（ａ）〜（ｃ）は、仕切り装置９の動作を示す図。
【図４】（ａ）、（ｂ）は、仕切り装置９の動作を示す拡大図。
【図５】（ａ）〜（ｃ）は、仕切り装置９の動作を示す断面図。
【図６】仕切り装置９ａを示す斜視図。
【図７】（ａ）〜（ｃ）は、仕切り装置９ａの動作を示す図。
【図８】仕切り装置９ｂを示す斜視図。
【図９】（ａ）〜（ｄ）は、仕切り装置９ｂの動作を示す図。
【発明を実施するための形態】
【００２３】
以下、図面を参照しながら、本発明の第１の実施形態について説明する。図１は、遊技機島１を示す全体図である。遊技機島１は、主に、遊技機３、呼出ランプ５、台間機７、仕切り装置９等から構成される。なお、本発明における遊技機島１は、パチンコが設置される島であってもよく、スロットが設置される島であってもよい。また、遊技機島１は、図示した例には限られず、遊技機３の配置や台数、その他構成の配置などは、適宜変更することができる。
【００２４】
各遊技機３の上部には、呼出ランプ５が設置される。呼出ランプ５は、遊技者が店員を呼び出す際に使用される。また、呼出ランプ５には、表示部が設けられ、各遊技機３の大当たり回数や当該遊技機３の遊技媒体の獲得数などの情報を表示することができる。また、遊技機３からの大当たり情報やエラー信号を受けて、呼出ランプ５に表示またはランプ点灯などで告知することができる。
【００２５】
遊技機３同士の間には、それぞれの遊技機３ごとに台間機７が設置される。台間機７は、遊技者の操作によって、遊技媒体（遊技玉やコイン）を上皿に払い出すことができる。各遊技機３の正面には椅子が配置される。すなわち、遊技者は、各遊技機３の前に座り、遊技を行う。
【００２６】
各遊技機３の間には、隣接する遊技機３の遊技者の各遊技空間を仕切る仕切り装置９が設けられる。図２は、仕切り装置９の設置状態を示す斜視図である。遊技機３の下部前方には、膳板１４が設けられる。膳板１４は、遊技機３が載置される遊技機載置部１６の高さに配置され、例えば遊技媒体を貯留する玉箱などを置くスペースや灰皿などの設置に使用される。なお、遊技機載置部１６は、膳板１４上に遊技機３を載置して形成してもよいし、遊技機３の設置高さを調整するために膳板１４の上に雛壇１２を配置し、その上に遊技機３を載置して形成してもよい。
【００２７】
膳板１４の上部には、上部仕切り１１が設けられる。上部仕切り１１は、例えば透明板であって、隣り合う遊技者の煙草の煙や、隣り合う遊技機からの音などを遮蔽する。なお、上部仕切り１１は、必要に応じて設けられれば良く、必ずしも必須ではない。
【００２８】
上部仕切り１１の下方には、仕切り装置９が設置される。すなわち、仕切り装置９は、遊技機３が載置される遊技機載置部１６よりも下方に配置される。仕切り装置９は、仕切り板１５と可動部材１７等からなり、一部が開口した袋状に形成された仕切り板１５の内部に可動部材１７が配置されている。なお、仕切り板１５は、必ずしも一側面が開口した袋状でなくてもよく、可動部材１７が常に露出してもよい。
【００２９】
図３（ａ）〜図３（ｃ）は、仕切り装置９の動作を示す側面図であり、図３（ａ）は、可動部材１７を仕切り板１５に収容した状態を示す図、図３（ｂ）は、仕切り板１５から、可動部材１７を動作させた状態を示す図、図３（ｃ）は、仕切り板１５から、完全に可動部材１７を突出させた状態を示す図である。なお、腰板１３の内部側には、図示を省略した、遊技媒体の搬送樋や搬送装置などが配置される。
【００３０】
仕切り板１５は、膳板１４の前方（遊技者側）であって、上部仕切り１１の下方の床１９上に立設される。なお、仕切り板１５の下部には、高さ調整機構１０が設けられる。高さ調整機構１０によって、遊技機島１の膳板１４の高さに合わせて、仕切り板１５の床１９からの高さを調整することができる。
【００３１】
仕切り板１５には、仕切り板１５から遊技機島１側（腰板１３側）に向かって、移動可能な略矩形の板状の可動部材１７が設けられる（図３（ｂ）の矢印Ａ）。すなわち、可動部材１７を仕切り板１５に完全に収容した際には、仕切り板１５と腰板１３との間には大きな隙間が形成される。このため、ホールの清掃時や腰板１３内部のメンテナンス作業が容易である。
【００３２】
一方、可動部材１７を仕切り板１５から突出させると、仕切り板１５と腰板１３との間の隙間を可動部材１７で塞ぐことができる。このため、隣り合う遊技者の足が干渉することを防止することができる。
【００３３】
なお、可動部材１７は、膳板１４下方であって、仕切り板１５と腰板１３との間の全ての空間を仕切らなくてもよく、部分的に隙間が形成されてもよい。例えば、可動部材１７の上部と、膳板１４の下面との間に隙間が形成されてもよい。なお、床１９から可動部材１７の下端までの高さは、遊技者のつま先が入らない程度の高さであることが望ましい。例えば、足の甲や足首程度が入らない程度の高さ以下の隙間とすることが望ましい。
【００３４】
また、可動部材１７の下部と床１９との間の隙間を通って、床１９に落下した遊技媒体などが、隣の遊技スペースに移動しないようにするため、可動部材１７の下部に、床１９との隙間を埋めるスポンジなどの弾性部材を設けてもよい。この場合、可動部材１７を仕切り板１５から突出させた際には、弾性部材によって床１９との隙間が埋められて、可動部材１７を仕切り板１５に収容した際には、弾性部材が圧縮されて仕切り板１５内に収容される。
【００３５】
次に、仕切り板１５と可動部材１７の詳細について説明する。図４（ａ）は、可動部材１７が仕切り板１５に収容された状態を示す部分透視図であり、図４（ｂ）は、可動部材１７が仕切り板１５から完全に突出した状態を示す部分透視図である。また、図５（ａ）は、図４（ａ）のＢ−Ｂ線断面図、図５（ｃ）は、図４（ｂ）のＣ−Ｃ線断面図である。
【００３６】
仕切り板１５の内部であって、可動部材１７の上下部近傍には、ガイド部２３が設けられる。ガイド部２３は、例えば、伸縮式のスライドレールである。ガイド部２３によって、可動部材１７は、仕切り板１５に対して水平方向（図中左右方向）にスライド動作することができる。すなわち、可動部材１７は、仕切り板１５の内部に収容可能であり、可動部材１７は仕切り板１５の内部に設けられるガイド部２３によって一方向にスライド動作可能である。
【００３７】
仕切り板１５の内部であって、可動部材１７の後方には、弾性部材２１が配置される。可動部材１７は、弾性部材２１によって、仕切り板１５から突出する方向へ押圧される。これにより可動部材１７を遊技機島１方向へ突出する作業が容易になる。また、後述のように位置決め機構２９を備えない場合であっても、弾性部材２１の押圧力によって遊技機島１方向へ可動部材１７が突出するため、例えば、遊技機島１の腰板１３に可動部材１７が当接して突出量が決まる。すなわち、仕切り装置９が設置された遊技機島１の腰板１３の位置のデザイン（例えば凹凸を有するデザイン）に影響されず、可動部材１７が遊技機島１の腰板１３まで突出することが可能となり、デザイン毎に可動部材１７の突出量を調整する必要がなく、使い勝手がよいものとなる。
【００３８】
仕切り板１５には、孔２５が設けられる。孔２５には、ストッパ２７が挿入される。図５（ａ）に示すように、ストッパ２７が、孔２５に挿入されることで、可動部材１７が仕切り板１５に固定される。したがって、前述したように、可動部材１７が弾性部材２１によって押圧されていたとしても、可動部材１７が仕切り板１５の内部に収容された状態を保持することができる。これによって、清掃時やメンテナンス時に、可動部材１７が遊技機島１方向へ突出することを防止することができる。
【００３９】
なお、ストッパ２７は、弾性部材によって、孔２５に挿入された状態が維持される。これに対し、図５（ｂ）に示すように、ストッパ２７を孔２５から引き抜くことで（図中矢印Ｄ）、可動部材１７が動作可能な状態となる。したがって、図４（ｂ）および図５（ｃ）に示すように、弾性部材２１によって、可動部材１７を仕切り板１５から突出させることができる（図中矢印Ｅ）。
【００４０】
図５（ｃ）に示すように、可動部材１７を仕切り板１５から所定量突出させた状態で、位置決め機構２９を動作させることで、可動部材１７を仕切り板１５に対して保持することができる。位置決め機構２９は、例えばボルトを締めこむことや弾性部材で押圧すること等によって、可動部材１７を任意の位置で押圧して（図中矢印Ｆ）、仕切り板１５に固定することができる。なお、可動部材１７を仕切り板１５から所定量突出させた状態で保持することができれば、位置決め機構２９の機構は図示した例には限られない。例えば、ガイド部２３にラチェット機構を設けて、可動部材１７を引き出すと、自然に位置決めされるようにしてもよい。なお、仕切り板１５から可動部材１７が所定量突出した状態を保持可能とする位置決め機構２９には、仕切り板１５から可動部材１７が突出していない状態、すなわち、仕切り板１５の内部に可動部材１７が収容されている状態も含む。言い換えると、仕切り板１５に対して可動部材１７が突出量０（ゼロ）の状態で位置決め機構２９は位置決めを可能とする。
【００４１】
以上説明したように、第１の実施の形態によれば、仕切り板１５に対して、遊技機島１（腰板１３）側に突出する可動部材１７を設けることで、遊技者の足元を確実に仕切ることができる。または、必要に応じて、可動部材１７を仕切り板１５内に収容可能であるため、清掃やメンテナンス作業の妨げとなることがない。
【００４２】
また、可動部材１７は、ガイド部２３によってガイドされるため、確実にまっすぐにスライド移動させることができる。また、可動部材１７を一部が開口した袋状に形成された仕切り板１５の内部に収容する場合、収容時には、可動部材１７やガイド部２３が外部の露出することがない。
【００４３】
また、ストッパ２７を設けることで、可動部材１７を仕切り板１５内に収容した状態を保持することができる。このため、清掃やメンテナンス時には可動部材１７を仕切り板１５内に収容し、可動部材１７が突出することを防止することができ、作業の妨げとなることがない。
【００４４】
また、ストッパ２７を外すことで、弾性部材２１によって可動部材１７を容易に突出させることができる。
【００４５】
また、位置決め機構２９によって、可動部材１７を任意の突出代で保持することができる。このため、足元を仕切った状態で、可動部材１７が移動することを防止することができる。このため、遊技者等との接触によって、可動部材１７が容易に移動することを防止することができる。
【００４６】
なお、可動部材１７を遊技機島１側から遊技者側に突出させてもよい。この場合には、腰板１３内部に可動部材１７を収容するか、腰板１３に可動部材１７を固定する必要がある。しかし、前述したように、腰板１３の内部には、遊技媒体の搬送樋や搬送装置などが配置されるため、十分なスペースを確保することが困難であり、そのような仕切り装置を腰板１３内部に配置することで、内部のメンテナンス作業もやりにくくなる。
【００４７】
また、通常、腰板１３は、内部の構成を隠す化粧板の役割を有する。このため、腰板１３は剛性が低く、腰板１３に可動部材等を固定するためには、別途補強設備が必要となる。したがって、可動部材１７は、遊技者側に設置した仕切り板１５に収容され、仕切り板１５から遊技機３側に向かって移動可能とすることが望ましい。
【００４８】
また、可動部材１７は、一枚の板状部材で構成したが、複数枚の板状部材を重ね合わせて、それぞれの部材をスライドレールで連結することで、２段階または３段階で伸縮するようにしてもよい。このようにすることで、仕切り板１５の幅以上の長さで、可動部材１７を突出させることもできる。
【００４９】
次に、第２の実施形態について説明する。図６は、仕切り装置９ａを示す斜視図であり、図７（ａ）〜図７（ｃ）は、仕切り装置９ａの動作を示す図である。なお、以下の説明において、第１の実施形態と同一の機能を奏する構成については、図１〜図５と同一の符号を付し、重複する説明を省略する。
【００５０】
仕切り装置９ａは、仕切り装置９とほぼ同様であるが、可動部材１７ａが略矩形の板状ではなく扇状である点で異なる。
【００５１】
図７（ａ）に示すように、可動部材１７ａは、例えば複数枚の扇状部材からなり、扇状部材が重ね合わせられて、仕切り板１５内に収容される。扇状部材の通信は、固定軸３１に回動可能に固定される。この状態から、図７（ｂ）、図７（ｃ）に示すように、扇状部材の中心の固定軸３１を回動中心として、可動部材１７ａが回動可能である（図中矢印Ｇ）。
【００５２】
可動部材１７ａを完全に開いて回動させることで、仕切り板１５の前方に可動部材１７ａを突出させることができる。すなわち、可動部材１７ａを仕切り板１５から遊技機島方向へ移動させて、足元の隙間を塞ぐことができる。
【００５３】
なお、本実施形態においても、可動部材１７ａの回動方向にガイド部を設けてもよい。また、可動部材１７ａが開く方向に向けて、弾性部材で押圧してもよい。また、可動部材１７ａの動作を規制するストッパや位置決め機構を設けてもよい。
【００５４】
第２の実施形態によれば、第１の実施形態と同様の効果を得ることができる。このように、可動部材の形状は、三角形、四角形、多角形、楕円扇形等いかなる形状であってもよく、可動部材の突出形態も限定されない。
【００５５】
次に、第３の実施形態について説明する。図８は、仕切り装置９ｂを示す斜視図であり、図９（ａ）〜図９（ｄ）は、仕切り装置９ｂの動作を示す図である。仕切り装置９ｂは、仕切り装置９とほぼ同様であるが、可動部材１７ｂが複数の板状または棒状の部材で構成される点で異なる。
【００５６】
図９（ａ）に示すように、可動部材１７ｂは、複数の板状または棒状の部材が鉛直方向に併設され、複数の板状または棒状の部材は、独立して水平方向に移動可能である。すなわち、それぞれの板状または棒状部材ごとにガイド部が設けられて、突出方向へ移動可能である。
【００５７】
例えば、図９（ｂ）に示すように、全ての板状または棒状部材を完全に突出させることで、第１の実施形態における板状の可動部材１７と同様の効果を得ることができる。
【００５８】
一方、本実施形態では、腰板１３が鉛直方向にまっすぐな場合のみではなく、例えば、図９（ｃ）に示すように、斜めに形成されている場合でも、腰板１３の形状に合わせて、可動部材１７ｂを突出させることができる。この場合には、板状または棒状部材の突出代を上方から徐々に変化させることで、可動部材１７ｂの先端をテーパ形状とすることができる。このため、腰板１３との間の隙間の形成を最小限とすることができる。
【００５９】
また、図９（ｄ）に示すように、腰板１３の形状が、鉛直部とテーパ部とが組み合わさるように、複数の角度で形成される場合でも、腰板１３の形状に合わせて、可動部材１７ｂを突出させることができる。この場合には、上方の板状または棒状部材の突出代を一定として、中央から下方の板状または棒状部材の突出代を徐々に変化させることで、可動部材１７ｂの先端を腰板１３の形状に対応させることができる。このため、腰板１３との間の隙間の形成を最小限とすることができる。
【００６０】
なお、本実施形態においても、板状または棒状部材が突出する方向に向けて、板状または棒状部材ごとにそれぞれ弾性部材で押圧してもよい。また、板状または棒状部材の動作を規制するストッパや位置決め機構をそれぞれの板状または棒状部材ごとに設けてもよい。
【００６１】
第３の実施形態によれば、第１の実施形態と同様の効果を得ることができる。また、可動部材１７ｂを複数の板状または棒状部材で構成し、先端が腰板に接触するように、腰板の形状に合わせて突出代を調整することで、確実に足元の空間を仕切ることができる。
【００６２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６３】
１………遊技機島
３………遊技機
５………呼出ランプ
７………台間機
９、９ａ、９ｂ………仕切り装置
１０………高さ調整機構
１１………上部仕切り
１２………雛壇
１３………腰板
１４………膳板
１５………仕切り板
１６………遊技機載置部
１７、１７ａ、１７ｂ………可動部材
１９………床
２１………弾性部材
２３………ガイド部
２５………孔
２７………ストッパ
２９………位置決め機構
３１………固定軸
【図１】
2018029693.tif 000003
【図２】
2018029693.tif 000004
【図３】
2018029693.tif 000005
【図４】
2018029693.tif 000006
【図５】
2018029693.tif 000007
【図６】
2018029693.tif 000008
【図７】
2018029693.tif 000009
【図８】
2018029693.tif 000010
【図９】
2018029693.tif 000011